(57)【要約】      （修正有）【課題】簡単な構造でありながらファスナーテープへの優れた係止力が得られ、加締め操作を寸法精度良く行うことのできる止具を提供する。【解決手段】スライダーによって噛合又は分離可能なファスナーエレメント列の少なくとも一方の端に連接してファスナーテープの端縁に加締め固定されるスライドファスナー用止具１４であって、一対の脚部２１、２２と、該一対の脚部２１、２２を連結し、ファスナーテープへの加締め固定時に塑性変形を受ける断面略Ｕ字状の連結部２３とを備え、前記止具１４の内側面は、ファスナーテープの長手方向に沿って形成された第１の溝条部又は突条部２４と、第１の溝条部又は突条部２４に交差する方向に沿って形成された第２の溝条部又は突条部２５とを有するスライドファスナー用止具。【選択図】図２
0003164407.tif 000002
【実用新案登録請求の範囲】
【請求項１】
スライダー１３によって噛合又は分離可能なファスナーエレメント列１２の少なくとも一方の端に連接してファスナーテープ１１の端縁に加締め固定されるスライドファスナー用止具１４であって、
前記スライドファスナー用止具は、一対の脚部２１、２２と、前記一対の脚部２１、２２を連結し、ファスナーテープ１１への加締め固定時に塑性変形を受ける断面略Ｕ字状の連結部２３とを備え、前記止具１４の内側面は、ファスナーテープ１１の長手方向に沿って形成された第１の溝条部又は突条部２４と、第１の溝条部又は突条部２４に交差する方向に沿って形成された第２の溝条部又は突条部２５とを有するスライドファスナー用止具。
【請求項２】
第１の溝条部又は突条部２４は脚部にのみ形成されており、第２の溝条部又は突条部２５は一方の脚部２１から他方の脚部２２に跨って連続的に形成されている請求項１に記載のスライドファスナー用止具。
【請求項３】
第１の溝条部又は突条部２４及び第２の溝条部又は突条部２５は、それぞれ２列以上形成されたＶ字状の溝条部である請求項１又は２に記載のスライドファスナー用止具。
【請求項４】
前記止具１４はプレス成形によって作製されており、前記脚部２１、２２には内側面から押圧することで形成された脚部２１、２２の外側面よりも膨出した膨出部２９を有し、前記膨出部２９がスライダー１３の一部に当接可能に形成されている請求項１〜３の何れか一項に記載のスライドファスナー用止具。
【請求項５】
前記膨出部２９の内側面側には凹部３１が形成されており、第１の溝条部又は突条部２４は溝条部であり、当該凹部３１と当該溝条部２４が連続して形成されている請求項１〜４の何れか一項に記載のスライドファスナー用止具。
【請求項６】
第１の溝条部又は突条部２４は溝条部であり、第２の溝条部又は突条部２５は溝条部であり、各溝条部２４、２５の両端には壁部２７Ａ、２７Ｂが形成されている請求項１〜５の何れか一項に記載のスライドファスナー用止具。
【請求項７】
ファスナーテープの端縁にファスナーテープの長手方向に沿って、２列以上の芯紐が並んで配置されており、前記脚部の先端は最も内側に配置された芯紐の内側端縁よりも外側に配置される請求項１〜６の何れか一項に記載のスライドファスナー用止具。
【請求項８】
請求項１〜６の何れか一項に記載のスライドファスナー用止具を備えたスライドファスナー。
【請求項９】
請求項８に記載のスライドファスナーを備えた物品。
【考案の詳細な説明】
【技術分野】
【０００１】
本考案は、ファスナーエレメント列の端部に取り付けられ、スライダーの摺動を停止させる機能を備えたスライドファスナー用止具に関する。また、本考案は当該スライドファスナー用止具を備えたスライドファスナー及び当該スライドファスナーを備えた物品に関する。
【背景技術】
【０００２】
スライドファスナーにおいて、止具はスライダーの摺動を停止させて、スライダーがファスナーストリンガーから拔脱することを防止する役割を果たす樹脂製や金属製の部材である。止具は基本構造として、一対の脚部と、この一対の脚部を連結する連結部を備えた断面視略Ｕ字状の形状を有しており、両脚部の間にファスナーテープを差し込んで加締め固定する。スライドファスナー用止具に関する先行技術文献としては以下が挙げられる。
【０００３】
特開２００２−２５３３０７号公報（特許文献１）の図２には、図１０に示したように、ファスナーエレメント列と隔離する端部側に、スライダーの肩口における少なくとも一方の翼板に当接可能な膨出部を形成した止具が記載されている。スライダーを摺動させたときに、止具の膨出部がスライダーの上下翼板の肩口に当接してスライダーの動きが停止する仕組みである。
【０００４】
同様に、米国特許第１，６５９，４８０号明細書（特許文献２）の図１には、図１１に示したように、止具の脚部の外側面中央に突起部が形成されており、これによりスライダーの動きを停止させている。
【０００５】
特許第４０６２６２０号公報（特許文献３）の図１１には、止具の内面に様々な形状の凹凸を設けることで脚部の加締め加工を容易化することや、ファスナーテープの芯部を強力に捕捉することなどを狙っている。具体的には、図１２に示したように、連結部（基部）の内面に突出部を設けたり、脚部の内面に突条部や突起部を設けたりした止具が記載されている。止具はダイカスト成形手段によって作製される。
【０００６】
米国特許第３，０８６，２６９号明細書（特許文献４）の図４には、図１３に示したように、ファスナーテープの幅方向に平行に、内側面全体にわたって複数の溝を設けた止具が記載されている。
【先行技術文献】
【特許文献】
【０００７】
【特許文献１】特開２００２−２５３３０７号公報
【特許文献２】米国特許第１，６５９，４８０号明細書
【特許文献３】特許第４０６２６２０号公報
【特許文献４】米国特許第３，０８６，２６９号明細書
【考案の概要】
【考案が解決しようとする課題】
【０００８】
このように、各種形状のスライドファスナー用止具が提案されているものの、未だ改善の余地が残されている。特許文献１や特許文献２に記載の止具は、止具の内面に凹凸がないためにファスナーテープへの系止力が不十分である。特許文献３に記載の止具の内面に様々な形状の凹凸が設けられていることからファスナーテープへの係止力は得られるものの構造が複雑なため、金型が複雑な形状となってコスト高であるし、金型寿命も短くなる。特許文献４に記載の止具ではファスナーテープの幅方向にのみ溝が形成されているため、同幅方向に加わる力に対する抵抗力（横引強度）が弱い。
【０００９】
本考案は上記の事情に鑑みて創作されたものであり、簡単な構造でありながらファスナーテープへの優れた係止力が得られる止具を提供することを主たる課題とする。
【課題を解決するための手段】
【００１０】
本考案は一側面において、スライダーによって噛合又は分離可能なファスナーエレメント列の少なくとも一方の端に連接してファスナーテープの端縁に加締め固定されるスライドファスナー用止具であって、一対の脚部と、前記一対の脚部を連結し、ファスナーテープへの加締め固定時に塑性変形を受ける断面略Ｕ字状の連結部とを備え、前記止具の内側面は、ファスナーテープの長手方向に沿って形成された第１の溝条部又は突条部と、第１の溝条部又は突条部に交差する方向に沿って形成された第２の溝条部又は突条部とを有するスライドファスナー用止具めである。本考案では、止具の内側面に第１及び第２の溝条部又は突状部を互いに交差する方向に配置したことで、様々な方向からの外力に対して係止力を確保できる。
【００１１】
本考案に係るスライドファスナー用止具の一実施形態においては、第１の溝条部又は突条部は脚部にのみ形成されており、第２の溝条部又は突条部は一方の脚部から他方の脚部に跨って連続的に形成されている。本実施形態によれば、塑性変形領域には第１の溝条部又は突条部が形成されていないので、止具をファスナーテープに加締め固定する際に精度よく曲げ加工できるという利点が得られる。第２の溝条部又は突条部は曲げ加工の精度には特に影響しないので連結部に形成しても問題ない。
【００１２】
本考案に係るスライドファスナー用止具の別の一実施形態においては、第１の溝条部又は突条部及び第２の溝条部又は突条部は、それぞれ２列以上形成されたＶ字状の溝条部である。溝条部又は突条部をＶ字状とすることで、ファスナーテープが噛み込みやすくなり、止具の係止力が上昇するという利点が得られる。
【００１３】
本考案に係るスライドファスナー用止具の更に別の一実施形態においては、前記止具はプレス成形によって作製されており、第１の溝条部又は突条部は溝条部であり、第２の溝条部又は突条部は溝条部であり、前記脚部には内側面から押圧することで形成された脚部の外側面よりも膨出した膨出部を有し、前記膨出部がスライダーの一部に当接可能に形成されている。ダイカスト品では、金型が複雑な構成となり、特にファスナーテープの表裏方向に厚くなりがちであるが、プレス成形であればスライダーの口径内に止具が入り込むくらいの薄型でも容易につくることができる。本考案に係る止具は構造がシンプルであるためプレス成形に適している。また、スライダーの一部に当接する膨出部についてもプレス成形により簡単に形成することができる。
【００１４】
本考案に係るスライドファスナー用止具の更に別の一実施形態においては、前記膨出部の内側面には凹部が形成されており、第１の溝条部又は突条部は溝条部であり、当該凹部と当該溝条部が連続して形成されている。本実施形態によれば、凹部にファスナーテープがある程度は入り込むことによって、凹部と連続する溝条部での係止力が上昇するという利点が得られる。
【００１５】
本考案に係るスライドファスナー用止具の更に別の一実施形態においては、第１の溝条部又は突条部は溝条部であり、第２の溝条部又は突条部は溝条部であり、各溝条部の両端には壁部が形成されている。本実施形態によれば、各溝条部は止具の端面まで到達していないので脚部の端面にバリなどが発生するのを抑制することができる。また、壁部と溝条部が形成する凹凸によって止具の係止力が上昇するという利点も得られる。
【００１６】
本考案に係るスライドファスナー用止具の更に別の一実施形態においては、ファスナーテープの端縁にファスナーテープの長手方向に沿って、２本以上の芯紐が並んで配置されており、前記脚部の先端は最も内側に配置された芯紐の内側端縁よりも外側に配置される。本実施形態によれば、脚部の内側面を均一にファスナーテープに接触させることができるので止具の係止力が上昇するという利点が得られる。また芯紐を収納して固定するようなタイプ（図１０や図１２のようなタイプ）とは異なり脚部先端を互いに接近する方向に屈曲させる必要がないので止具が簡単な構成となる。
【００１７】
本考案は別の一側面において、本考案に係るスライドファスナー用止具を備えたスライドファスナーである。
【００１８】
本考案は更に別の一側面において、本考案に係るスライドファスナーを備えた物品である。
【考案の効果】
【００１９】
本考案によれば、簡単な構造でありながらファスナーテープへの優れた係止力が得られ、加締め操作を寸法精度良く行うことのできる止具が提供できる。
【図面の簡単な説明】
【００２０】
【図１】本考案に係るスライドファスナー用止具の使用例を示すスライドファスナーの正面図である。
【図２】本考案の実施例１に係る止具の斜視図である。
【図３】本考案の実施例１に係る止具を図２に示す点線Ａに沿って切断したときの断面図である。
【図４】図３のＢ−Ｂ線断面図である。
【図５】本考案の実施例１に係る脚部の端面を観察したときの部分斜視図である。
【図６】本考案の変形例に係る止具の内側面に形成された溝条部の配置を示す図である。
【図７】スライダーの肩口が止具の膨出部に当接して、スライダーの摺動が停止した状態を示す模式図である。
【図８】本考案の実施例１に係る止具をファスナーテープの端縁に加締め固定した様子を示す断面図である。
【図９】図８のＣ−Ｃ線断面図である。
【図１０】特開２００２−２５３３０７号公報（特許文献１）の図２に記載された止具である。
【図１１】米国特許第１，６５９，４８０号明細書（特許文献２）の図１に記載された止具である。
【図１２】特許第４０６２６２０号公報（特許文献３）の図１１に記載された止具である。
【図１３】米国特許第３，０８６，２６９号明細書（特許文献４）の図４に記載された止具である。
【考案を実施するための形態】
【００２１】
以下、本考案の実施の形態について、実施例を挙げて図面を参照しながら詳細に説明する。
【００２２】
図１は、本考案に係るスライドファスナー用止具の使用例を示すスライドファスナー１０の正面図である。スライドファスナー１０はファスナーテープ１１、ファスナーエレメント列１２、スライダー１３、止具１４、及び下止具１５によって構成されている。ファスナーテープ１１は対になっており、各ファスナーテープ１１にファスナーエレメント１２が取り付けられた状態のものをファスナーストリンガーと呼ぶ。また、各ファスナーストリンガーが対になったものをファスナーチェンと呼ぶ。
【００２３】
各ファスナーテープ１１は、合成繊維又は天然繊維により織成又は編成されており、その長手方向の端縁に沿って隣り合う２本の芯紐１６が織り込み或いは編み込まれている。芯紐１６には、スライダー１３によって噛合又は分離可能な複数のファスナーエレメントから構成されるファスナーエレメント列１２が取り付けられている。スライダー１３は内部にファスナーエレメント列１２を嵌挿しながら摺動することで、各ファスナーストリンガーに組み合わされたファスナーエレメント列１２を噛合又は分離することができる。止具１４は、ファスナーエレメント列１２の上端に連接してファスナーテープの端縁に芯紐１６をファスナーテープの表裏から挟持するように加締め固定されている。本件では、止具１４は各ファスナーストリンガーの上側に配置されているので上止具ともいう。
ファスナーエレメント列１２の下端には、各ファスナーストリンガーの対向する両側縁を加締め固定した下止具１５が形成されている。本件においては下側に配置されている止具なので下止具と表記する。また、図１に示す下止具はファスナーチェンの下側が分離不能なように構成されているが、各ファスナーストリンガー１７、１８を分離することができる乖離嵌挿具が取り付けられていても良い。
【００２４】
図２は、本考案の実施例１に係る止具の斜視図である。図３は、同止具を図２に示す点線Ａに沿って切断したときの断面図である。図４は、図３のＢ−Ｂ線断面図である。図５は、本考案の実施例１に係る脚部の端面を観察したときの部分斜視図である。
【００２５】
本考案においては、スライダーがエレメント列を噛合させるように摺動する向きを上方とし、エレメント列を分離させるように摺動する向きを下方とする。
【００２６】
実施例１に係る止具１４は、ステンレス、亜鉛合金、アルミニウム合金、又は銅合金等の金属材料を使用してプレス成形により作製されており、図２〜４に示すように、一対の脚部２１、２２と、前記一対の脚部２１、２２を連結し、ファスナーテープ１１への加締め固定時に塑性変形を受ける断面略Ｕ字状の連結部２３とを備えている。
【００２７】
同止具１４の脚部２１、２２の内側面は実質的に平坦面であって、前ファスナーテープ１１の長手方向に沿って第１溝条部２４が各脚部２１、２２の平坦面に２本ずつ間隔を置いて平行に配列されている。第１溝条部２４は実質的に塑性変形しない脚部２１、２２にのみ存在しており、塑性変形による曲げ加工が加わる連結部２３には存在しない。これにより、止具をファスナーテープに加締め固定する際に精度よく曲げ加工できる。また、第１溝条部２４を芯紐１６の表裏面に確実に密接させることができるのでファスナーテープに加わる横引き力に耐える強度を得ることができる。
また、第１溝条部２４に実質的に直交する方向に沿って第２溝条部２５が間隔を置いて平行に２本配列されている。第２溝条部２５は一方の脚部２１から連結部２３を通って他方の脚部２２まで連続的に形成されている。
【００２８】
なお、本実施例では溝条部２４、２５が内側面に形成されているが、溝条部に替えて突条部とすることもできるし、溝条部と突条部を組み合わせることもできる。また、溝条部又は突条部の本数や配置もファスナーテープへの係止力との兼ね合いで適宜設定することができる。
【００２９】
いずれの溝条部２４、２５も断面Ｖ字状をしている。図３を参照すると、溝条部を形成するＶ字の頂点の角度αは約８０°である。角度αは３０°〜１００°の範囲とするのが好ましい。これにより、所定の溝深さを得、高い係止力が得られる。角度αが３０°より小さくなると、溝の幅が狭くなり、ファスナーテープ１１が溝条部と脚部内側面の平坦面の境界である縁に接触しにくくなり係止力が低下する。また、プレス成形金型の溝条部を成形する部分が小さくなるので型寿命が落ちてしまう。逆に溝条部の角度が１００°よりも大きくなってしまうと、ファスナーテープ１１が溝条部と脚部内側面の境界である縁に接触しても充分な係止力が得られない。
溝条部２４、２５はいずれも断面Ｖ字状の溝条を複数隣接させることができ、この場合はＶ字が横に並んだ断面鋸歯状となる。
【００３０】
同止具１４においては、図４に示すように、第１溝条部２４と第２溝条部２５とが交差する交差点２６が各脚部につき４箇所存在しており、第１溝条部２４と第２溝条部が連続して形成されている。このような構成とすることで、交差点２６にファスナーテープが噛み込むことで係止力が上昇するという効果が得られる。ただし、図６の変形例に示すように、第１溝条部と第２溝条部が交差しない態様にすることもできる。
【００３１】
図２及び図４から分かるように、第１溝条部２４及び第２溝条部２５はそれぞれ両端に壁部２７Ａ、２７Ｂが形成されており、止具１４の端面２８まで溝条部が形成されないようになっている。これにより、止具の端面にバリが発生することなどを防止することができ、壁部にファスナーテープ１１が接触することで、係止力の上昇も期待できる。壁部２７Ａ、２７Ｂの厚み（すなわち各溝条部の終端から止具の端面までの距離）は、壁部２７Ａのように各溝条部の幅より大きくすることも、壁部２７Ｂのように各溝条部の幅より小さくすることもできる。薄い方がファスナーテープに鋭く噛み込みやすくなることから係止力の上昇には好ましいが、薄すぎると壁の強度が低下する。壁部の厚みはこのことを考慮しながら適宜設定すればよい。図５は脚部の端面を観察したときの部分斜視図であり、壁部２７Ａ、２７Ｂの構造を点線で示してある。ここで、図５に示す壁部２７Ｂは非常に薄く形成されており、壁部２７Ｂの上端が脚部の内側面よりも少し欠けて形成されているが、この壁部２７Ｂは各溝条部の一番深い部分よりも高く形成されていれば良いでの、多少欠けていても問題ない。
【００３２】
実施例１に係る止具１４の各脚部２１、２２には、内側面から押圧することで各脚部２１、２２の外側面よりも膨出した膨出部２９が形成されており、図７に示すように、スライダー１３の肩口３０が止具１４の膨出部２９に当接することで、スライダー１３の摺動が停止する。スライダー１３への当たりを良くするため、膨出部２９のスライダーと接触する面が平坦面であることが好ましい。一方、膨出部２９の裏側の内側面には対応する凹部３１が形成されている。凹部３１は第１溝条部を分断する又は第１溝条部と干渉する位置に設けられており、凹部３１と第１溝条部２４が連続した状態となっている。これによって、図８、図９に見られるように、凹部により深くファスナーテープが入り込むので、凹部３１と凹部３１に連続する第１溝条部２４との境界である縁にファスナーテープが噛み込み易くなり、止具の係止力上昇につながる。
【００３３】
更に、同止具１４は断面視略Ｕ字状の形状を有しているところ、Ｕ字の頂点を結ぶことで内側面に形成される第１溝条部に平行な中央線に沿って孔部３４が間隔を置いて配列されている。これにより、中央線に沿った曲げ加工が容易となり、加工精度も高くなる。なお前述したとおり、塑性変形する連結部２３には第１溝条部２４がないことが好ましいが、簡単な曲げ加工を優先するならば、図６に示すように同止具１４の中央線に沿った位置すなわち各孔部３４を連結するような方向に溝条部３５を形成してもよい。しかし、連結部２３の中央線以外の部分には第１溝条は設けないほうが好ましい。
【００３４】
図８は、実施例１に係る止具１４をファスナーテープ１１に加締め固定した様子を示す断面図であり、図９は図８のＣ−Ｃ線断面図である。図に示すとおり、止具１４は連結部２３が塑性変形されることで、一対の脚部が接近する方向に移動して、ファスナーテープ１１に加締められる。ここで、ファスナーテープの外側端縁にファスナーテープの長手方向に沿って、２列以上の芯紐１６が並んで配置されており、前記脚部の先端３２は最も内側に配置された芯紐の内側端縁３３よりも外側に配置される（ここで内側とは、ファスナーテープの物品本体へ縫合される側を指し、外側とはファスナーテープのファスナーエレメントが取り付けられる側を指す。）。また、止具１４は芯紐１６をファスナーテープ１１の表裏から挟持するようにしてファスナーテープ１１に加締め固定されている。
芯紐１６は加締め固定時の押圧によって変形し、第１溝条部２４、第２溝条部２５及び凹部３１に噛み込んでいる。また、第１溝条部の壁部２７Ａ、２７Ｂは主にファスナーテープが長手方向にずれる力に対する抵抗を与え、第２溝条部の壁部２７Ａ、２７Ｂは、主にファスナーテープが幅方向にずれる力に対する抵抗を与えている。また前述の通り、各脚部２１、２２の先端３２は芯紐上に配置されているため、脚部２１、２２の内側面を均一にファスナーテープ１１に接触させることができ、係止強度を向上させることができる。
【００３５】
上記本発明である止具１４は、図７に示されるように、膨出部２９がスライダーの肩口３０側の上翼板と下翼板に接触するようにファスナーテープ１１に加締められ、膨出部２９よりもエレメント列側にある脚部の一部がスライダー１３の案内路内に入り込む構成となる。このような構成とすることで、止具１４の直下に配置されるエレメントを極力後口側へ配置することができるので、スライダー１３の案内路とスライダー１３のフランジとの空間のうち肩口側のスペースを空けることができ、その空いたスペースによってファスナーストリンガーを互いに引き寄せることができるので、ファスナーチェンを完全に閉じたときに上端部が開きすぎてしまうことを防止できる。肩口側案内路に止具直下のエレメントが配置されると、ファスナーチェンの上端部がハの字状に開いたままとなってしまう。
【００３６】
また、左右の膨出部２９の位置を図７に示す位置よりもファスナーテープの外側（すなわち、図７の矢印方向）に設けることで、膨出部２９がスライダーの肩口３０に接触したときに、ファスナーチェンが閉鎖する方向の力が加わるので、より体裁の良いスライドファスナーが得られる。
【００３７】
このように、本考案に係る止具の内側面には溝条部（又は突条部）、更には凹部が形成されているが、一般には、止具を平面状に拡開して内側面を平面視したときに、溝条部（又は突条部）や凹部が形成されていない平坦部が占める面積よりも、溝条部（又は突条部）及び凹部が占める面積の方が小さいことが望ましい。このように構成することで、精度よくファスナーテープ１１に止具を加締めることができ、かつ、強度の高い薄い止具からなるスライドファスナーチェーンを作製することができる。
【００３８】
本考案に係る止具は、各種のスライドファスナーに使用可能である。例えば、エレメントが金属製の金属ファスナー、エレメントがコイル状の樹脂でできている樹脂ファスナー及び樹脂製のエレメントがテープに射出成型されたファスナーなどに好適に使用できる。本考案に係る止具を備えたスライドファスナーは公知の任意の物品（衣料品、鞄類、靴類及び雑貨品といった日用品のほか、貯水タンク、漁網及び宇宙服といった産業用品）の開閉具として利用できる。
【００３９】
以上、本考案を実施例に基づいて説明してきたが、本考案は当該実施例に限定されるものではなく、種々の改変が可能である。
【符号の説明】
【００４０】
１０            スライドファスナー
１１            ファスナーテープ
１２            ファスナーエレメント列
１３            スライダー
１４            止具
１５            下止具
１６            芯紐
１７、１８      ファスナーストリンガー
２１、２２      脚部
２３            連結部
２４            第１溝条部
２５            第２溝条部
２６            交差点
２７Ａ、２７Ｂ  壁部
２８            止具の端面
２９            膨出部
３０            スライダーの肩口
３１            凹部
３２            脚部の先端
３３            芯紐の内側端縁
３４            孔部
３５            止具の中央線に沿った溝条部
【図１】
0003164407.tif 000003
【図２】
0003164407.tif 000004
【図３】
0003164407.tif 000005
【図４】
0003164407.tif 000006
【図５】
0003164407.tif 000007
【図６】
0003164407.tif 000008
【図７】
0003164407.tif 000009
【図８】
0003164407.tif 000010
【図９】
0003164407.tif 000011
【図１０】
0003164407.tif 000012
【図１１】
0003164407.tif 000013
【図１２】
0003164407.tif 000014
【図１３】
0003164407.tif 000015